(57)【要約】【課題】  適宜の設置箇所等に配列して設けられるタイル又は該タイルを用いたタイルマットにおいて、夜間時に適宜の部位を適切かつ確実に発光させることにより、興趣に富む住環境を得る。【解決手段】  全体がほぼ矩形板材を呈するように形成されるタイル１０は、その表面に発光面を露呈させた状態で埋設されるＬＥＤ発光部１２を備えている。そして、太陽電池パネルにより外光を受光することで発生する電気エネルギーで前記ＬＥＤ発光部を発光させるように構成されている。ここで、太陽電池パネルは、その受光面を表面に露呈させた状態で埋設することにより太陽電池パネル部１４とし、この太陽電池パネル部と前記ＬＥＤ発光部とを一枚のタイルに一体的に組み込むか、あるいは別々のタイルに組み込み、ケーブル接続するように構成する。【選択図】        図１
0003170310.tif 000002
【実用新案登録請求の範囲】
【請求項１】
全体がほぼ矩形板材を呈するように形成されるタイルであって、
前記タイルは、その表面に発光面を露呈させた状態で埋設されるＬＥＤ発光部を備え、
太陽電池パネルにより外光を受光することで発生する電気エネルギーで前記ＬＥＤ発光部を発光させるように構成されていることを特徴とするタイル。
【請求項２】
請求項１記載のタイルにおいて、
前記太陽電池パネルをその表面に受光面を露呈させた状態で埋設される太陽電池パネル部とし、
前記太陽電池パネル部と前記ＬＥＤ発光部とを一枚のタイルに一体的に組み込んだことを特徴とするタイル。
【請求項３】
請求項２記載のタイルにおいて、
前記太陽電池パネル部の受光面と前記ＬＥＤ発光部の発光面とを、前記タイル表面上の任意の領域を占めるように区画して配設することにより、該タイル表面は、任意の幾何学模様を呈するように形成されていることを特徴とするタイル。
【請求項４】
請求項１記載のタイルにおいて、
前記ＬＥＤ発光部を組み込んだタイルとは別の太陽電池パネルを用い、
この太陽電池パネルとＬＥＤ発光部付きタイルとをケーブルにより接続したことを特徴とするタイル。
【請求項５】
請求項４記載のタイルにおいて、
前記太陽電池パネルをタイルに組み込み、
前記ＬＥＤ発光部を一つ又は複数のタイルに組み込むとともに、
これらの太陽電池パネル部付きタイルとＬＥＤ発光部付きタイルとをケーブルにより接続したことを特徴とするタイル。
【請求項６】
請求項１ないし請求項５のいずれか１項に記載のタイルを用いてなるタイルマットであって、
前記タイルマットは、複数枚のタイルと、これらのタイルを着脱可能に固定するためのマット基材とからなり、
前記ＬＥＤ発光部を備えたタイルを、適宜の配列で前記マット基材上の任意の位置に配設したことを特徴とするタイルマット。
【考案の詳細な説明】
【技術分野】
【０００１】
本考案は、建築材料、特に建築物における床または壁面、あるいはバルコニーやベランダ等に敷設される建材としてのタイルおよびこのタイルを用いた建材マットとしてのタイルマットに関する。
【背景技術】
【０００２】
従来、建材としてのタイルは、下地材上に所定の配列状態で並べてモルタル、接着剤等で下地材に固着した構造となっており、施工が面倒かつ煩雑で、しかも作業に熟練を要し、工期も長くなる等の問題があった。
【０００３】
このため、近年では、上述したような作業性などの問題点を一掃するために、樹脂マット上に複数枚のタイルを所要の配列状態に並べて配置させ、それぞれを接着剤で接合固定してなるタイルマットが用いられるようになってきている。
【０００４】
ところで、この種のタイルにおいて、タイル内にランプ、発光ダイオード等の発光源および電源回路等を設け、発光源からの光をタイル表面から外部に照射することで、夜間時などにおいて照明発光させることで、庭やベランダ等での夜間照明を行い、イルミネーション効果を発揮させ得るようにした構造が従来から知られている（例えば、特許文献１，２等参照）。
【０００５】
すなわち、従来この種のタイルは、タイル内部に電源としての太陽電池と発光源を内蔵し、外光を受光することで生じる電力で発光源を点灯させ、タイル表面の開口に設けた透明板を介して光を照射することにより、上述したようなイルミネーション効果を発揮させることができるものである。
【先行技術文献】
【特許文献】
【０００６】
【特許文献１】実開平４−６９５２３号公報
【特許文献２】実開平２−３３８１５号公報
【考案の概要】
【考案が解決しようとする課題】
【０００７】
しかしながら、上述した従来のタイルでは、ランプや発光ダイオード等の点光源を用いているものであり、意匠的な効果に乏しく、庭、バルコニー、ベランダ等でのイルミネーション効果を得にくい等といった問題があった。
【０００８】
また、上述した従来のタイルでは、タイル自体が大型化し、また内部構造も複雑となり易く、施工も面倒かつ煩雑となり、使い勝手の面で問題をもつものであった。
【０００９】
本考案はこのような事情に鑑みてなされたものであり、適宜の設置箇所等に配列して設けられるタイル又は該タイルを用いたタイルマットにおいて、夜間時に適宜の部位を適切かつ確実に発光させることにより、興趣に富む住環境を得ることができるタイルおよびタイルを用いたタイルマットを得ることを目的とする。
【課題を解決するための手段】
【００１０】
このような目的に応えるために本考案（請求項１記載の考案）に係るタイルは、全体がほぼ矩形板材を呈するように形成されるタイルであって、前記タイルは、その表面に発光面を露呈させた状態で埋設されるＬＥＤ発光部を備え、太陽電池パネルにより外光を受光することで発生する電気エネルギーで前記ＬＥＤ発光部を発光させるように構成されていることを特徴とする。
【００１１】
本考案（請求項２記載の考案）に係るタイルは、請求項１記載のタイルにおいて、前記太陽電池パネルをその表面に受光面を露呈させた状態で埋設される太陽電池パネル部とし、前記太陽電池パネル部と前記ＬＥＤ発光部とを一枚のタイルに一体的に組み込んだことを特徴とする。
【００１２】
本考案（請求項３記載の考案）に係るタイルは、請求項２記載のタイルにおいて、前記太陽電池パネル部の受光面と前記ＬＥＤ発光部の発光面とを、前記タイル表面上の任意の領域を占めるように区画して配設することにより、該タイル表面は、任意の幾何学模様を呈するように形成されていることを特徴とする。
【００１３】
本考案（請求項４記載の考案）に係るタイルは、請求項１記載のタイルにおいて、前記ＬＥＤ発光部を組み込んだタイルとは別の太陽電池パネルを用い、この太陽電池パネルとＬＥＤ発光部付きタイルとをケーブルにより接続したことを特徴とする。
【００１４】
本考案（請求項５記載の考案）に係るタイルは、請求項４記載のタイルにおいて、前記太陽電池パネルをタイルに組み込み、前記ＬＥＤ発光部を一つ又は複数のタイルに組み込むとともに、これらの太陽電池パネル部付きタイルとＬＥＤ発光部付きタイルとをケーブルにより接続したことを特徴とする。
【００１５】
本考案（請求項６記載の考案）に係るタイルマットは、請求項１ないし請求項５のいずれか１項に記載のタイルを用いてなるタイルマットであって、前記タイルマットは、複数枚のタイルと、これらのタイルを着脱可能に固定するためのマット基材とからなり、前記ＬＥＤ発光部を備えたタイルを、適宜の配列で前記マット基材上の任意の位置に配設したことを特徴とする。
【考案の効果】
【００１６】
以上説明したように本考案に係るタイルによれば、全体がほぼ矩形板材を呈するように形成されるタイルに、その表面に発光面を露呈させた状態で埋設されるＬＥＤ発光部を備え、昼間時に太陽電池パネルにより外光を受光することで発生する電気エネルギーを充電（蓄電）し、夜間時に蓄電した電気エネルギーを放電して前記ＬＥＤ発光部を発光させるように構成しているから、簡単な構成であるにもかかわらず、以下に述べる種々優れた効果を奏する。
【００１７】
すなわち、本考案によれば、庭、ベランダ、バルコニー等の適宜の設置個所に配列して設けることにより、夜間時に適宜の部位を適切かつ確実に発光させることにより、興趣に富む住環境を得ることができる。特に、ＬＥＤ発光部による発光色を任意に選択することにより、より一層イルミネーション効果を発揮し得る。
【００１８】
また、本考案において、１枚のタイルにＬＥＤ発光部と太陽電池パネル部とを一体的に設け、その発光面と受光面とをタイル表面に適宜の状態で露呈させることにより、タイル表面に適宜の模様を形成でき、昼間時でもデザイン的に優れ、意匠上での効果を発揮させ得る等の優れた効果を奏する。
【００１９】
さらに、本考案によれば、ＬＥＤ発光部付きタイルとは別に太陽電池パネルを準備し、これらをケーブル接続するようにしたので、簡単な構成でもかかわらず、庭、バルコニー、ベランダ等に対して所要の配列状態でＬＥＤ発光部付きタイルを配置させることが可能であり、イルミネーション効果を発揮させ、興趣に富む環境を提供することができる。
【００２０】
また、本考案によれば、複数枚のタイルを配列することができる樹脂マット等のマット基材の表面に着脱可能に並設することにより、タイルをマット基材から必要に応じて取り外してタイルの組み合わせを変えることができる。したがって、タイルマットにおいて、タイルの材質や模様、さらに配列などを必要に応じて変えて、その多様化を図ることができる。
【図面の簡単な説明】
【００２１】
【図１】（ａ）は本考案に係るタイルの一実施形態を示す概略斜視図、（ｂ）はその変形例を示す概略斜視図である。
【図２】図１（ａ）のタイルをマット基材に組付けた状態を示すタイルマットの概略分解斜視図である。
【図３】本考案に係るタイルの別の実施形態を示し、使用状態を示す概略斜視図である。
【図４】図３とは別の設置個所に設置した場合を示す概略斜視図である。
【図５】本考案に係るタイルの他の実施形態を示す概略斜視図である。
【考案を実施するための形態】
【実施例１】
【００２２】
図１および図２は本考案に係るタイル及びタイルを用いたタイルマットの一実施形態を示すものである。
これらの図において、この実施形態では、タイル１０において、本考案を特徴づけるタイル１０として、図１（ａ）または同図（ｂ）に示すようなものを用いている。
【００２３】
前記タイル１０は、全体がほぼ矩形板材を呈するように形成されるものであって、その表面に発光面を露呈させた状態で埋設されるＬＥＤ発光部１２が設けられるとともに、これと同様に表面に受光面を露呈させた状態で埋設される太陽電池パネル部１４が設けられている。
【００２４】
勿論、昼間時に太陽電池パネル部１４で受光した外光により電気エネルギを得、これを充電、蓄電する充電回路や、夜間時において暗くなったことを感知して該電気エネルギを放電し、前記ＬＥＤ発光部１２の発光面を発光させる回路、さらにその他必要な制御回路等をタイル１０内に組み込まれていることは言うまでもない。
【００２５】
このような構成によるＬＥＤ発光部１２、太陽電池パネル部１４を備えたパネル１０によれば、昼間時に太陽電池パネルとしての太陽電池パネル部１４の受光面で日光等を受光することで光を電気エネルギに変換し、これを充電、蓄電するとともに、夜間時に外光が消えたこと等を追随させて該電気エネルギで放電して前記ＬＥＤ発光部１２を発光させることにより、設置部位でのイルミネーション効果を発揮し得るものである。
【００２６】
ここで、上述したタイル１０は、例えば庭等の地面、適宜の建築物の床面、壁面、あるいはバルコニーやベランダ等に敷き詰められることで、該施工場所を体裁のよいタイル模様の化粧を施すことができるものである。また、上述したタイル１０は、例えば９．５ｃｍ角の正方形状に形成された板材であって、適宜の材質で形成され、その表面には、適宜の色彩、その他模様などが必要に応じて付されている。
【００２７】
さらに、上述したＬＥＤ発光部１２、太陽電池パネル部１４を備えたパネル１０では、板材内部にＬＥＤ発光部１２、太陽電池パネル部１４が埋設されるとともに、パネル表面に露呈する開口部分には、図示しないが透明板が設けられ、この透明板を介して外光を受光する受光面、光を照射する発光面が配設されている。
【００２８】
また、前記太陽電池パネル部１４の受光面と前記ＬＥＤ発光部１２の発光面とを、前記タイル１０の表面上の任意の領域を占めるように区画して配設することにより、該タイル表面は、任意の幾何学模様を呈するように形成されている。
【００２９】
ここで、図１（ａ）では、太陽電池パネル部１４の受光面をタイル１０上で表面中央部に９０度回転方向に位置をずらして配置し、それ以外の部分をＬＥＤ発光部１２の発光面とした場合を示している。
また、同図（ｂ）では、一辺寄りの部分に太陽電池パネル部１４の受光面を、他辺寄りの部分をＬＥＤ発光部の発光面とした場合を示している。
【００３０】
さらに、このようなタイル１０の裏面には、図２に示すように、４隅部に嵌合脚部１６が設けられ、また前記太陽電池パネル部１４、ＬＥＤ発光部１２を構成する部材を組み込む内部空間を形成する突部１８が形成されている。
【００３１】
また、上述したタイル１０は、図２に示すように、９枚のタイル１０を、マット基材としての正方形状の樹脂マット２０上に、例えば３×３の配列状態で並べて着脱自在に設けられ、タイルマット１を構成している。
【００３２】
ここで、この実施形態では、９個のタイルのうち、一つ置きにＬＥＤ発光部１２、太陽電池パネル部１４を備えたパネル１０を配列している。勿論、これに限定されず、適宜の数カ所にＬＥＤ発光部１２、太陽電池パネル部１４を備えたパネル１０を設けても良い。
【００３３】
なお、前記樹脂マット２０は、上述したタイル１０を所定間隔をおいて３×３の配列で敷設できる大きさ、例えば３０ｃｍ角の正方形状の板材であって、この実施形態では、３×３の計９個所にタイル接合部２０ａを有している。
【００３４】
なお、図中２６は連結腕、２８は該連結腕２６が係合する連結凹部であり、それぞれが樹脂マット２０の各々二辺づつの側面部に突設または凹設されている。これらの連結腕２６を隣接する樹脂マット２０の連結凹部２８に順次連結させることにより、複数枚の樹脂マット２０を順次連結して敷設することができる。
【００３５】
前記タイルマット１において、タイル１０を樹脂マット２０上に接合固定する固定部として、図２に示すように、４隅に嵌合穴２４を貫通して設けるとともに、タイル１０の下面の対応する位置に設けた嵌合突部１６を嵌合させることにより着脱自在に嵌合保持されている。なお、嵌合突部１６は、複数の弾性係止片からなり、係止爪が嵌合穴２４の周縁部に係止されることにより、抜け止め状態とされるように構成されている。
【００３６】
以上の構成によれば、マット基材としての樹脂マット２０上の各接合部に対し、タイル１０を順次積み重ね、その嵌合突部１６を嵌合穴２４に嵌合させることにより、タイル１０を樹脂マット２０に着脱自在に嵌合保持させ、タイルマット１として、所要の配列状態に並べて接合固定できるようになっている。
【００３７】
また、このようなタイルマット１によれば、タイル１０を引きはがして嵌合状態を外すことにより、タイル１０を簡単に取り外すことが可能であり、模様替えを行ったりする際に便利である等といった利点がある。
【００３８】
そして、このような嵌合構造による樹脂マット２０とタイル１０とによるタイルマット１によれば、庭、ベランダ、バルコニー等の適宜の設置個所に配列して設け、夜間時に適宜の部位を適切かつ確実に発光させることにより、興趣に富む住環境を得ることができる。
【００３９】
また、このような構造では、ＬＥＤ発光部による発光色を任意に選択することにより、より一層イルミネーション効果を発揮し得る。
【００４０】
また、上述した構造では、１枚のタイルにＬＥＤ発光部と太陽電池パネル部とを一体的に設け、その発光面と受光面とをタイル表面に適宜の状態で露呈させることにより、タイル表面に適宜の模様を形成でき、昼間時でもデザイン的に優れ、意匠上での効果を発揮させ得る等の優れた効果を奏する。
【００４１】
また、上述した構造によれば、複数枚のタイルを配列することができる樹脂マット等のマット基材の表面に着脱可能に並設することにより、タイルをマット基材から必要に応じて取り外してタイルの組み合わせを変えることができる。したがって、タイルマットにおいて、タイルの材質や模様、さらに配列などを必要に応じて変えて、その多様化を図ることができる。
【実施例２】
【００４２】
図３は本考案に係るタイル１０及びタイル１０を用いたタイルマット１の別の実施形態を示す。
【００４３】
図において、この実施形態では、前記ＬＥＤ発光部１２を組み込んだタイル１０とは別の太陽電池パネル３を準備し、この太陽電池パネル３とＬＥＤ発光部付きタイル１０とをケーブル（図示せず）等で接続するように構成している。
【００４４】
そして、前記太陽電池パネル３をアーム部３ａによりベランダ３０の手摺り４０の上部に立設し、またこれとケーブル接続されているＬＥＤ発光部１２付きパネル１０を含めたパネル１０を樹脂マット２０に組付けたタイルマット１を、ベランダ３０の外壁に適宜貼り付けた状態で設けるようにしている。
【００４５】
このような構成によれば、電源としての太陽電池パネル３を準備し、ＬＥＤ発光部１２付きタイル１０とは別体構造としているため、太陽電池パネル３を、図３に示すように、ベランダ３０の手摺り４０等といった任意の位置にアーム部３ａを介して自由に配設することが可能であり、その実用上での効果は大きい。
【００４６】
また、このような構成において、複数のＬＥＤ発光部１２付きタイル１０を、１個の太陽電池パネル３にケーブル接続することにより、図３に示すように、ベランダ３０の手摺り４０の上部に太陽電池パネル３を設置し、手摺り４０の外側部分に複数のタイル１０によるタイルマット１を適宜貼り部分において、図中斜線を付したタイル１０を、ＬＥＤ発光部１２付きタイルとしている。
【００４７】
そして、このような構成では、昼間時等の明るいときは太陽電池パネル３により太陽光を受光し、電気エネルギに変換して充電、蓄電し、夜間時などにおいて暗くなることで放電回路を作動させ、該電気エネルギによりタイル１０のＬＥＤ発光部１２の発光面から発光させることができるのである。
【００４８】
したがって、このようなＬＥＤ発光部１２付きタイル１０を用いると、タイル１０の設置位置において、適宜の部位を夜間時に発光させることにより、興趣に富む住環境を得ることができるものである。しかも、太陽電池パネル３が別体構造であるため、太陽電池パネル３の設置位置に制約がなく、任意の個所に配置することができる。
【００４９】
図４は図３の変形例を示すものであり、この図４では、本考案に係るタイル１０及びタイル１０を用いたタイルマット１を、庭５０の地面に敷設した場合を説明する。
【００５０】
すなわち、この例では、庭５０の適宜の位置に、多数のタイル１０または該タイル１０を用いたタイルマット１を敷設し、その一部をＬＥＤ発光部１２付きのタイル１０（図中、斜線を付したタイル１０部分）としている。
【００５１】
また、太陽電池パネル３は、該庭５０近くの手摺り４０の上部にアーム部３ａ等により立設した状態で設けられ、外光を受光して蓄電できるようになっている。
【００５２】
このように庭５０等に適用しても、上述した実施例と同等に、そのイルミネーション効果を発揮し得ることは容易に理解されよう。
【実施例３】
【００５３】
図５は本考案に係るタイル及びタイルを用いたタイルマットの他の実施形態を示す。
この実施形態では、上述したＬＥＤ発光部１２付きタイル１０とは別に準備した太陽電池パネル３をタイル１０に組込み、太陽電池パネル部１４付きタイル１０としている。
【００５４】
そして、この太陽電池パネル部１４付きタイル１０を、図５に示すように、複数枚のＬＥＤ発光部１２付きタイル１０とケーブル３２でそれぞれ接続し、電気的に結線し、太陽電池パネル部１４付きタイル１０内に設けてある光電気変換回路や充放電回路等といった必要な電気回路からの通電により、夜間時などにおいて発光するように構成されている。
【００５５】
また、これらの太陽電池パネル部１４付きタイル１０、ＬＥＤ発光部１２付きタイル１０は、通常のタイル１０と共に、前述した樹脂マット２０に組付けることでタイルマット１として構成し、適宜の設置個所に配設するようにすればよい。
なお、図５では、太陽電池パネル部１４付きタイル１０の大きさを強調して記載したが、他のタイル１０と同じ大きさ、形状とすればよいものである。
【００５６】
そして、このような実施形態でも、前述したと同様の作用効果が得られることは明らかである。
【００５７】
なお、本考案は上述した実施の形態で説明した構造には限定されず、各部の形状、構造等を適宜変形、変更し得ることはいうまでもない。
【００５８】
例えば、上述した実施形態では、９枚のタイル１０を樹脂マット２０に３×３の配列で並べて設けた場合を説明したが、本考案はこれに限定されず、１枚のタイル１０を接合する接合部をもつ樹脂マット２０であってもよい。
【００５９】
さらに、タイル１０の配列としては、３枚、４枚の構成によるものは勿論、８枚、１２枚、３６枚等の構成によるものであってもよいことも言うまでもない。
また、タイル１０の大きさや樹脂マット２０の大きさなどとしても、種々の変形例が考えられる。
【００６０】
さらに、上述したタイル１０としては、例えば木材のもの、セラミック製のもの、天然石のもの、さらにコンクリート材等といったその他の材質でできたもの等、適宜のものを提供できるものである。
【００６１】
また、このような適宜の材料で形成されるタイル１０に対しての嵌合突部１６の固定構造としても、従来から種々知られている固定手法を適宜採用すればよいことは言うまでもない。要は、タイル１０の裏面の所定個所に、嵌合突部２１を、例えば接着、ねじ止め、その他適宜の固定手段を用いて固着して設けるとよいものである。
【００６２】
さらに、上述した実施形態では、上記した樹脂マット２０を、耐久性や耐候性に優れた樹脂であって、こうしたタイルマットの樹脂マット２０として一般的な樹脂材料、例えば、ＰＥ（ポリエチレン）やＥＶＡ（エチレン-酢酸ビニル共重合樹脂）から型成型したものを用いるとよい。勿論、これに限定されないことも言うまでもない。
【００６３】
さらに、上述した実施形態では、タイル１０を固定するマット基材として樹脂マット２０を用いた場合を例示したが、本考案はこれに限定されず、たとえばマット基材としては樹脂マット２０に限らず、適宜の取付け板材であってもよく、必要に応じて用いられるマット基材であればよい。
【符号の説明】
【００６４】
１  タイルマット
３  太陽電池パネル
１０  タイル
１２  ＬＥＤ発光部
１４  太陽電池パネル部
１６  嵌合突部
１８  突部
２０  マット基材としての樹脂マット
２２  開口
２４  嵌合穴
２６  連結腕
２８  連結凹部
３０  ベランダ
３２  ケーブル
４０  手摺り
５０  庭
【図１】
0003170310.tif 000003
【図２】
0003170310.tif 000004
【図３】
0003170310.tif 000005
【図４】
0003170310.tif 000006
【図５】
0003170310.tif 000007
【手続補正書】
【提出日】平成23年6月27日(2011.6.27)
【手続補正１】
【補正対象書類名】明細書
【補正対象項目名】全文
【補正方法】変更
【補正の内容】
【考案の詳細な説明】
【技術分野】
【０００１】  本考案は、建築材料、特に建築物における床または壁面、あるいはバルコニーやベランダ等に敷設される建材としてのタイルおよびこのタイルを用いた建材マットとしてのタイルマットに関する。
【背景技術】
【０００２】  従来、建材としてのタイルは、下地材上に所定の配列状態で並べてモルタル、接着剤等で下地材に固着した構造となっており、施工が面倒かつ煩雑で、しかも作業に熟練を要し、工期も長くなる等の問題があった。【０００３】  このため、近年では、上述したような作業性などの問題点を一掃するために、樹脂マット上に複数枚のタイルを所要の配列状態に並べて配置させ、それぞれを接着剤で接合固定してなるタイルマットが用いられるようになってきている。【０００４】  ところで、この種のタイルにおいて、タイル内にランプ、発光ダイオード等の発光源および電源回路等を設け、発光源からの光をタイル表面から外部に照射することで、夜間時などにおいて照明発光させることで、庭やベランダ等での夜間照明を行い、イルミネーション効果を発揮させ得るようにした構造が従来から知られている（例えば、特許文献１，２等参照）。【０００５】  すなわち、従来この種のタイルは、タイル内部に電源としての太陽電池と発光源を内蔵し、外光を受光することで生じる電力で発光源を点灯させ、タイル表面の開口に設けた透明板を介して光を照射することにより、上述したようなイルミネーション効果を発揮させることができるものである。
【先行技術文献】
【特許文献】
【０００６】
【特許文献１】実開平４−６９５２３号公報
【特許文献２】実開平２−３３８１５号公報
【考案の概要】
【考案が解決しようとする課題】
【０００７】  しかしながら、上述した従来のタイルでは、ランプや発光ダイオード等の点光源を用いているものであり、意匠的な効果に乏しく、庭、バルコニー、ベランダ等でのイルミネーション効果を得にくい等といった問題があった。【０００８】  また、上述した従来のタイルでは、タイル自体が大型化し、また内部構造も複雑となり易く、施工も面倒かつ煩雑となり、使い勝手の面で問題をもつものであった。【０００９】  本考案はこのような事情に鑑みてなされたものであり、適宜の設置箇所等に配列して設けられるタイル又は該タイルを用いたタイルマットにおいて、夜間時に適宜の部位を適切かつ確実に発光させることにより、興趣に富む住環境を得ることができるタイルおよびタイルを用いたタイルマットを得ることを目的とする。
【課題を解決するための手段】
【００１０】  このような目的に応えるために本考案（請求項１記載の考案）に係るタイルは、全体がほぼ矩形板材を呈するように形成されるタイルであって、前記タイルは、その表面に発光面を露呈させた状態で埋設されるＬＥＤ発光部を備えるとともに、このタイルに一体的または別体に構成され外光を受光することで電気エネルギーを発生させる太陽電池パネルを備え、この太陽電池パネルで得られた電気エネルギーで前記ＬＥＤ発光部を発光させるように該太陽電池パネルを前記ＬＥＤ発光部に接続したことを特徴とする。【００１１】  本考案（請求項２記載の考案）に係るタイルは、請求項１記載のタイルにおいて、前記太陽電池パネルをその表面に受光面を露呈させた状態で埋設される太陽電池パネル部とし、前記太陽電池パネル部と前記ＬＥＤ発光部とを一枚のタイルに一体的に組み込んだことを特徴とする。【００１２】  本考案（請求項３記載の考案）に係るタイルは、請求項２記載のタイルにおいて、前記太陽電池パネル部の受光面と前記ＬＥＤ発光部の発光面とを、前記タイル表面上の任意の領域を占めるように区画して配設することにより、該タイル表面は、任意の幾何学模様を呈するように形成されていることを特徴とする。【００１３】  本考案（請求項４記載の考案）に係るタイルは、請求項１記載のタイルにおいて、前記ＬＥＤ発光部を組み込んだタイルとは別個の独立した太陽電池パネルを用い、この太陽電池パネルとＬＥＤ発光部付きタイルとをケーブルにより接続したことを特徴とする。【００１４】  本考案（請求項５記載の考案）に係るタイルは、請求項４記載のタイルにおいて、前記太陽電池パネルを前記ＬＥＤ発光部付きタイルとは別のタイルに組み込むことにより太陽電池パネル部付きタイルを構成し、この太陽電池パネル部付きタイルと一つ又は複数のＬＥＤ発光部付きタイルとをケーブルにより接続したことを特徴とする。【００１５】  本考案（請求項６記載の考案）に係るタイルマットは、請求項１ないし請求項５のいずれか１項に記載のタイルを用いてなるタイルマットであって、前記タイルマットは、複数枚のタイルと、これらのタイルを着脱可能に固定するためのマット基材とからなり、前記ＬＥＤ発光部を備えたタイルを、適宜の配列で前記マット基材上の任意の位置に配設したことを特徴とする。
【考案の効果】
【００１６】  以上説明したように本考案に係るタイルによれば、全体がほぼ矩形板材を呈するように形成されるタイルに、その表面に発光面を露呈させた状態で埋設されるＬＥＤ発光部を備えるとともに、このタイルに一体的または別体に構成され昼間時に外光を受光することで電気エネルギーを充電（蓄電）し、夜間時に蓄電した電気エネルギーを放電する太陽電池パネルを備え、該太陽電池パネルで得られた電気エネルギーで前記ＬＥＤ発光部を発光させるように該太陽電池パネルを前記ＬＥＤ発光部に接続したので、簡単な構成であるにもかかわらず、以下に述べる種々優れた効果を奏する。【００１７】  すなわち、本考案によれば、庭、ベランダ、バルコニー等の適宜の設置個所に配列して設けることにより、夜間時に適宜の部位を適切かつ確実に発光させることにより、興趣に富む住環境を得ることができる。特に、ＬＥＤ発光部による発光色を任意に選択することにより、より一層イルミネーション効果を発揮し得る。【００１８】  また、本考案において、１枚のタイルにＬＥＤ発光部と太陽電池パネル部とを一体的に設け、その発光面と受光面とをタイル表面に適宜の状態で露呈させることにより、タイル表面に適宜の模様を形成でき、昼間時でもデザイン的に優れ、意匠上での効果を発揮させ得る等の優れた効果を奏する。【００１９】  さらに、本考案によれば、ＬＥＤ発光部付きタイルとは別に太陽電池パネルを準備し、これらをケーブル接続するようにしたので、簡単な構成でもかかわらず、庭、バルコニー、ベランダ等に対して所要の配列状態でＬＥＤ発光部付きタイルを配置させることが可能であり、イルミネーション効果を発揮させ、興趣に富む環境を提供することができる。【００２０】  また、本考案によれば、複数枚のタイルを配列することができる樹脂マット等のマット基材の表面に着脱可能に並設することにより、タイルをマット基材から必要に応じて取り外してタイルの組み合わせを変えることができる。したがって、タイルマットにおいて、タイルの材質や模様、さらに配列などを必要に応じて変えて、その多様化を図ることができる。
【図面の簡単な説明】
【００２１】
【図１】（ａ）は本考案に係るタイルの一実施形態を示す概略斜視図、（ｂ）はその変形例を示す概略斜視図である。
【図２】図１（ａ）のタイルをマット基材に組付けた状態を示すタイルマットの概略分解斜視図である。
【図３】本考案に係るタイルの別の実施形態を示し、使用状態を示す概略斜視図である。
【図４】図３とは別の設置個所に設置した場合を示す概略斜視図である。
【図５】本考案に係るタイルの他の実施形態を示す概略斜視図である。
【考案を実施するための形態】
【実施例１】
【００２２】  図１および図２は本考案に係るタイル及びタイルを用いたタイルマットの一実施形態を示すものである。  これらの図において、この実施形態では、タイル１０において、本考案を特徴づけるタイル１０として、図１（ａ）または同図（ｂ）に示すようなものを用いている。【００２３】  前記タイル１０は、全体がほぼ矩形板材を呈するように形成されるものであって、その表面に発光面を露呈させた状態で埋設されるＬＥＤ発光部１２が設けられるとともに、これと同様に表面に受光面を露呈させた状態で埋設される太陽電池パネル部１４が設けられている。【００２４】  勿論、昼間時に太陽電池パネル部１４で受光した外光により電気エネルギを得、これを充電、蓄電する充電回路や、夜間時において暗くなったことを感知して該電気エネルギを放電し、前記ＬＥＤ発光部１２の発光面を発光させる回路、さらにその他必要な制御回路等をタイル１０内に組み込まれていることは言うまでもない。【００２５】  このような構成によるＬＥＤ発光部１２、太陽電池パネル部１４を備えたパネル１０によれば、昼間時に太陽電池パネルとしての太陽電池パネル部１４の受光面で日光等を受光することで光を電気エネルギに変換し、これを充電、蓄電するとともに、夜間時に外光が消えたこと等を追随させて該電気エネルギで放電して前記ＬＥＤ発光部１２を発光させることにより、設置部位でのイルミネーション効果を発揮し得るものである。【００２６】  ここで、上述したタイル１０は、例えば庭等の地面、適宜の建築物の床面、壁面、あるいはバルコニーやベランダ等に敷き詰められることで、該施工場所を体裁のよいタイル模様の化粧を施すことができるものである。また、上述したタイル１０は、例えば９．５ｃｍ角の正方形状に形成された板材であって、適宜の材質で形成され、その表面には、適宜の色彩、その他模様などが必要に応じて付されている。【００２７】  さらに、上述したＬＥＤ発光部１２、太陽電池パネル部１４を備えたパネル１０では、板材内部にＬＥＤ発光部１２、太陽電池パネル部１４が埋設されるとともに、パネル表面に露呈する開口部分には、図示しないが透明板が設けられ、この透明板を介して外光を受光する受光面、光を照射する発光面が配設されている。【００２８】  また、前記太陽電池パネル部１４の受光面と前記ＬＥＤ発光部１２の発光面とを、前記タイル１０の表面上の任意の領域を占めるように区画して配設することにより、該タイル表面は、任意の幾何学模様を呈するように形成されている。【００２９】  ここで、図１（ａ）では、太陽電池パネル部１４の受光面をタイル１０上で表面中央部に９０度回転方向に位置をずらして配置し、それ以外の部分をＬＥＤ発光部１２の発光面とした場合を示している。  また、同図（ｂ）では、一辺寄りの部分に太陽電池パネル部１４の受光面を、他辺寄りの部分をＬＥＤ発光部の発光面とした場合を示している。【００３０】  さらに、このようなタイル１０の裏面には、図２に示すように、４隅部に嵌合脚部１６が設けられ、また前記太陽電池パネル部１４、ＬＥＤ発光部１２を構成する部材を組み込む内部空間を形成する突部１８が形成されている。【００３１】  また、上述したタイル１０は、図２に示すように、９枚のタイル１０を、マット基材としての正方形状の樹脂マット２０上に、例えば３×３の配列状態で並べて着脱自在に設けられ、タイルマット１を構成している。【００３２】  ここで、この実施形態では、９個のタイルのうち、一つ置きにＬＥＤ発光部１２、太陽電池パネル部１４を備えたパネル１０を配列している。勿論、これに限定されず、適宜の数カ所にＬＥＤ発光部１２、太陽電池パネル部１４を備えたパネル１０を設けても良い。【００３３】  なお、前記樹脂マット２０は、上述したタイル１０を所定間隔をおいて３×３の配列で敷設できる大きさ、例えば３０ｃｍ角の正方形状の板材であって、この実施形態では、３×３の計９個所にタイル接合部２０ａを有している。【００３４】  なお、図中２６は連結腕、２８は該連結腕２６が係合する連結凹部であり、それぞれが樹脂マット２０の各々二辺づつの側面部に突設または凹設されている。これらの連結腕２６を隣接する樹脂マット２０の連結凹部２８に順次連結させることにより、複数枚の樹脂マット２０を順次連結して敷設することができる。【００３５】  前記タイルマット１において、タイル１０を樹脂マット２０上に接合固定する固定部として、図２に示すように、４隅に嵌合穴２４を貫通して設けるとともに、タイル１０の下面の対応する位置に設けた嵌合突部１６を嵌合させることにより着脱自在に嵌合保持されている。なお、嵌合突部１６は、複数の弾性係止片からなり、係止爪が嵌合穴２４の周縁部に係止されることにより、抜け止め状態とされるように構成されている。【００３６】  以上の構成によれば、マット基材としての樹脂マット２０上の各接合部に対し、タイル１０を順次積み重ね、その嵌合突部１６を嵌合穴２４に嵌合させることにより、タイル１０を樹脂マット２０に着脱自在に嵌合保持させ、タイルマット１として、所要の配列状態に並べて接合固定できるようになっている。【００３７】  また、このようなタイルマット１によれば、タイル１０を引きはがして嵌合状態を外すことにより、タイル１０を簡単に取り外すことが可能であり、模様替えを行ったりする際に便利である等といった利点がある。【００３８】  そして、このような嵌合構造による樹脂マット２０とタイル１０とによるタイルマット１によれば、庭、ベランダ、バルコニー等の適宜の設置個所に配列して設け、夜間時に適宜の部位を適切かつ確実に発光させることにより、興趣に富む住環境を得ることができる。【００３９】  また、このような構造では、ＬＥＤ発光部による発光色を任意に選択することにより、より一層イルミネーション効果を発揮し得る。【００４０】  また、上述した構造では、１枚のタイルにＬＥＤ発光部と太陽電池パネル部とを一体的に設け、その発光面と受光面とをタイル表面に適宜の状態で露呈させることにより、タイル表面に適宜の模様を形成でき、昼間時でもデザイン的に優れ、意匠上での効果を発揮させ得る等の優れた効果を奏する。【００４１】  また、上述した構造によれば、複数枚のタイルを配列することができる樹脂マット等のマット基材の表面に着脱可能に並設することにより、タイルをマット基材から必要に応じて取り外してタイルの組み合わせを変えることができる。したがって、タイルマッ���において、タイルの材質や模様、さらに配列などを必要に応じて変えて、その多様化を図ることができる。
【実施例２】
【００４２】  図３は本考案に係るタイル１０及びタイル１０を用いたタイルマット１の別の実施形態を示す。【００４３】  図において、この実施形態では、前記ＬＥＤ発光部１２を組み込んだタイル１０とは別の太陽電池パネル３を準備し、この太陽電池パネル３とＬＥＤ発光部付きタイル１０とをケーブル（図示せず）等で接続するように構成している。【００４４】  そして、前記太陽電池パネル３をアーム部３ａによりベランダ３０の手摺り４０の上部に立設し、またこれとケーブル接続されているＬＥＤ発光部１２付きパネル１０を含めたパネル１０を樹脂マット２０に組付けたタイルマット１を、ベランダ３０の外壁に適宜貼り付けた状態で設けるようにしている。【００４５】  このような構成によれば、電源としての太陽電池パネル３を準備し、ＬＥＤ発光部１２付きタイル１０とは別体構造としているため、太陽電池パネル３を、図３に示すように、ベランダ３０の手摺り４０等といった任意の位置にアーム部３ａを介して自由に配設することが可能であり、その実用上での効果は大きい。【００４６】  また、このような構成において、複数のＬＥＤ発光部１２付きタイル１０を、１個の太陽電池パネル３にケーブル接続することにより、図３に示すように、ベランダ３０の手摺り４０の上部に太陽電池パネル３を設置し、手摺り４０の外側部分に複数のタイル１０によるタイルマット１を適宜貼り部分において、図中斜線を付したタイル１０を、ＬＥＤ発光部１２付きタイルとしている。【００４７】  そして、このような構成では、昼間時等の明るいときは太陽電池パネル３により太陽光を受光し、電気エネルギに変換して充電、蓄電し、夜間時などにおいて暗くなることで放電回路を作動させ、該電気エネルギによりタイル１０のＬＥＤ発光部１２の発光面から発光させることができるのである。【００４８】  したがって、このようなＬＥＤ発光部１２付きタイル１０を用いると、タイル１０の設置位置において、適宜の部位を夜間時に発光させることにより、興趣に富む住環境を得ることができるものである。しかも、太陽電池パネル３が別体構造であるため、太陽電池パネル３の設置位置に制約がなく、任意の個所に配置することができる。【００４９】  図４は図３の変形例を示すものであり、この図４では、本考案に係るタイル１０及びタイル１０を用いたタイルマット１を、庭５０の地面に敷設した場合を説明する。【００５０】  すなわち、この例では、庭５０の適宜の位置に、多数のタイル１０または該タイル１０を用いたタイルマット１を敷設し、その一部をＬＥＤ発光部１２付きのタイル１０（図中、斜線を付したタイル１０部分）としている。【００５１】  また、太陽電池パネル３は、該庭５０近くの手摺り４０の上部にアーム部３ａ等により立設した状態で設けられ、外光を受光して蓄電できるようになっている。【００５２】  このように庭５０等に適用しても、上述した実施例と同等に、そのイルミネーション効果を発揮し得ることは容易に理解されよう。
【実施例３】
【００５３】  図５は本考案に係るタイル及びタイルを用いたタイルマットの他の実施形態を示す。  この実施形態では、上述したＬＥＤ発光部１２付きタイル１０とは別に準備した太陽電池パネル３をタイル１０に組込み、太陽電池パネル部１４付きタイル１０としている。【００５４】  そして、この太陽電池パネル部１４付きタイル１０を、図５に示すように、複数枚のＬＥＤ発光部１２付きタイル１０とケーブル３２でそれぞれ接続し、電気的に結線し、太陽電池パネル部１４付きタイル１０内に設けてある光電気変換回路や充放電回路等といった必要な電気回路からの通電により、夜間時などにおいて発光するように構成されている。【００５５】  また、これらの太陽電池パネル部１４付きタイル１０、ＬＥＤ発光部１２付きタイル１０は、通常のタイル１０と共に、前述した樹脂マット２０に組付けることでタイルマット１として構成し、適宜の設置個所に配設するようにすればよい。  なお、図５では、太陽電池パネル部１４付きタイル１０の大きさを強調して記載したが、他のタイル１０と同じ大きさ、形状とすればよいものである。【００５６】  そして、このような実施形態でも、前述したと同様の作用効果が得られることは明らかである。【００５７】  なお、本考案は上述した実施の形態で説明した構造には限定されず、各部の形状、構造等を適宜変形、変更し得ることはいうまでもない。【００５８】  例えば、上述した実施形態では、９枚のタイル１０を樹脂マット２０に３×３の配列で並べて設けた場合を説明したが、本考案はこれに限定されず、１枚のタイル１０を接合する接合部をもつ樹脂マット２０であってもよい。【００５９】  さらに、タイル１０の配列としては、３枚、４枚の構成によるものは勿論、８枚、１２枚、３６枚等の構成によるものであってもよいことも言うまでもない。  また、タイル１０の大きさや樹脂マット２０の大きさなどとしても、種々の変形例が考えられる。【００６０】  さらに、上述したタイル１０としては、例えば木材のもの、セラミック製のもの、天然石のもの、さらにコンクリート材等といったその他の材質でできたもの等、適宜のものを提供できるものである。【００６１】  また、このような適宜の材料で形成されるタイル１０に対しての嵌合突部１６の固定構造としても、従来から種々知られている固定手法を適宜採用すればよいことは言うまでもない。要は、タイル１０の裏面の所定個所に、嵌合突部２１を、例えば接着、ねじ止め、その他適宜の固定手段を用いて固着して設けるとよいものである。【００６２】  さらに、上述した実施形態では、上記した樹脂マット２０を、耐久性や耐候性に優れた樹脂であって、こうしたタイルマットの樹脂マット２０として一般的な樹脂材料、例えば、ＰＥ（ポリエチレン）やＥＶＡ（エチレン-酢酸ビニル共重合樹脂）から型成型したものを用いるとよい。勿論、これに限定されないことも言うまでもない。【００６３】  さらに、上述した実施形態では、タイル１０を固定するマット基材として樹脂マット２０を用いた場合を例示したが、本考案はこれに限定されず、たとえばマット基材としては樹脂マット２０に限らず、適宜の取付け板材であってもよく、必要に応じて用いられるマット基材であればよ��。
【符号の説明】
【００６４】  １  タイルマット  ３  太陽電池パネル１０  タイル１２  ＬＥＤ発光部１４  太陽電池パネル部１６  嵌合突部１８  突部２０  マット基材としての樹脂マット２２  開口２４  嵌合穴２６  連結腕２８  連結凹部３０  ベランダ３２  ケーブル４０  手摺り５０  庭
【手続補正２】
【補正対象書類名】実用新案登録請求の範囲
【補正対象項目名】全文
【補正方法】変更
【補正の内容】
【実用新案登録請求の範囲】
【請求項１】
全体がほぼ矩形板材を呈するように形成されるタイルであって、  前記タイルは、その表面に発光面を露呈させた状態で埋設されるＬＥＤ発光部を備えるとともに、 このタイルに一体的または別体に構成され外光を受光することで電気エネルギーを発生させる太陽電池パネルを備え、 この太陽電池パネルで得られた電気エネルギーで前記ＬＥＤ発光部を発光させるように該太陽電池パネルを前記ＬＥＤ発光部に接続したことを特徴とするタイル。
【請求項２】
請求項１記載のタイルにおいて、  前記太陽電池パネルをその表面に受光面を露呈させた状態で埋設される太陽電池パネル部とし、  前記太陽電池パネル部と前記ＬＥＤ発光部とを一枚のタイルに一体的に組み込んだことを特徴とするタイル。
【請求項３】
請求項２記載のタイルにおいて、  前記太陽電池パネル部の受光面と前記ＬＥＤ発光部の発光面とを、前記タイル表面上の任意の領域を占めるように区画して配設することにより、該タイル表面は、任意の幾何学模様を呈するように形成されていることを特徴とするタイル。
【請求項４】
請求項１記載のタイルにおいて、  前記ＬＥＤ発光部を組み込んだタイルとは別個の独立した太陽電池パネルを用い、  この太陽電池パネルとＬＥＤ発光部付きタイルとをケーブルにより接続したことを特徴とするタイル。
【請求項５】
請求項４記載のタイルにおいて、  前記太陽電池パネルを前記ＬＥＤ発光部付きタイルとは別のタイルに組み込むことにより太陽電池パネル部付きタイルを構成し、 この太陽電池パネル部付きタイルと一つ又は複数のＬＥＤ発光部付きタイルとをケーブルにより接続したことを特徴とするタイル。
【請求項６】
請求項１ないし請求項５のいずれか１項に記載のタイルを用いてなるタイルマットであって、  前記タイルマットは、複数枚のタイルと、これらのタイルを着脱可能に固定するためのマット基材とからなり、  前記ＬＥＤ発光部を備えたタイルを、適宜の配列で前記マット基材上の任意の位置に配設したことを特徴とするタイルマット。